(57)【要約】【課題】ユーザが地上アナログ放送を視聴するに際して、放送局名を識別可能とし、放送局名を頼りに、番組選択を容易に行うことができる放送受信装置を提供する。【解決手段】デジタル放送及びアナログ放送を受信可能な放送受信装置であって、放送受信装置で受信したデジタル放送の番組情報を抽出するデジタル番組情報抽出部と、デジタル番組情報抽出部で抽出した番組情報を番組情報テーブルとして格納する記憶部と、放送受信装置で受信したアナログ放送の番組情報を抽出するアナログ番組情報抽出部と、アナログ番組情報抽出部で抽出した番組情報に基づいて、記憶部に格納された番組情報テーブルを参照して、アナログ放送の放送局名を特定する放送局名特定部と、放送局名特定部で特定した放送局名をアナログ放送の映像と共に表示装置に表示する映像出力部とを備える。【選択図】図１
2007243694.tif 000002
【特許請求の範囲】
【請求項１】
デジタル放送及びアナログ放送を受信可能な放送受信装置であって、
前記放送受信装置で受信したデジタル放送の番組情報を抽出するデジタル番組情報抽出部と、
前記デジタル番組情報抽出部で抽出した番組情報を番組情報テーブルとして格納する記憶部と、
前記放送受信装置で受信したアナログ放送の番組情報を抽出するアナログ番組情報抽出部と、
前記アナログ番組情報抽出部で抽出した番組情報に基づいて、前記記憶部に格納された番組情報テーブルを参照して、アナログ放送の放送局名を特定する放送局名特定部と、
前記放送局名特定部で特定した放送局名を前記アナログ放送の映像と共に表示装置に表示する映像出力部とを備える、放送受信装置。
【請求項２】
前記記憶部は、前記デジタル番組情報抽出部で新たな番組情報が抽出される度に、番組情報テーブルに格納する番組情報を更新することを特徴とする、請求項１に記載の放送受信装置。
【請求項３】
前記記憶部に格納された番組情報テーブルはＶＣＴ（Ｖｉｒｔｕａｌ  Ｃｈａｎｎｅｌ  Ｔａｂｌｅ）を含み、
前記アナログ番組情報抽出部で抽出された番組情報はＶＢＩ（Ｖｅｒｔｉｃａｌ  Ｂｌａｎｋｉｎｇ  Ｉｎｔｅｒｖａｌ）を含み、
前記放送局名特定部は、ＶＢＩのＴＳＩＤ（Ｔｒａｎｓｐｏｒｔ  Ｓｔｒｅａｍ  ＩＤｅｎｔｉｆｉｃａｔｉｏｎ）に基づいて、ＶＣＴのＴＳＩＤを参照して、放送局名を特定することを特徴とする、請求項２に記載の放送受信装置。
【請求項４】
デジタル放送及びアナログ放送を受信可能な放送受信装置のコンピュータに実行させる放送受信プログラムであって、
前記コンピュータに、
前記放送受信装置で受信したデジタル放送の番組情報を抽出するデジタル番組情報抽出ステップと、
前記デジタル番組情報抽出ステップで抽出した番組情報を番組情報テーブルとして記憶する記憶ステップと、
前記放送受信装置で受信したアナログ放送の番組情報を抽出するアナログ番組情報抽出ステップと、
前記アナログ番組情報抽出ステップで抽出した番組情報に基づいて、前記記憶ステップで記憶した番組情報テーブルを参照して、アナログ放送の放送局名を特定する放送局名特定ステップと、
前記放送局名特定ステップで特定した放送局名を前記アナログ放送の映像と共に表示装置に表示させるステップとを実行させる、放送受信プログラム。
【請求項５】
デジタル放送及びアナログ放送を受信可能な放送受信装置のコンピュータに実行させる放送受信プログラムを記録した記録媒体であって、
前記コンピュータに、
前記放送受信装置で受信したデジタル放送の番組情報を抽出するデジタル番組情報抽出ステップと、
前記デジタル番組情報抽出ステップで抽出した番組情報を番組情報テーブルとして記憶する記憶ステップと、
前記放送受信装置で受信したアナログ放送の番組情報を抽出するアナログ番組情報抽出ステップと、
前記アナログ番組情報抽出ステップで抽出した番組情報に基づいて、前記記憶ステップで記憶した番組情報テーブルを参照して、アナログ放送の放送局名を特定する放送局名特定ステップと、
前記放送局名特定ステップで特定した放送局名を前記アナログ放送の映像と共に表示装置に表示させるステップとを実行させる、放送受信プログラムを記録した記録媒体。
【請求項６】
デジタル放送及びアナログ放送を受信する放送受信方法であって、
デジタル放送を受信するデジタル放送受信ステップと、
アナログ放送を受信するアナログ放送受信ステップと、
前記デジタル放送受信ステップで受信したデジタル放送の番組情報を抽出するデジタル番組情報抽出ステップと、
前記デジタル番組情報抽出ステップで抽出したデジタル放送の番組情報を番組情報テーブルとして記憶する記憶ステップと、
前記アナログ放送受信ステップで受信したアナログ放送の番組情報を抽出するアナログ番組情報抽出ステップと、
前記アナログ番組情報抽出ステップで抽出したアナログ放送の番組情報に基づいて、前記記憶ステップで記憶されたデジタル放送の番組情報テーブルを参照して、アナログ放送の放送局名を特定する放送局名特定ステップと、
前記放送局名特定ステップで特定した放送局名を前記アナログ放送の映像と共に表示装置に表示させるステップとを含む放送受信方法。
【発明の詳細な説明】
【技術分野】
【０００１】
本発明は、放送受信装置、放送受信プログラム、放送受信プログラムを記録した記録媒体及び放送受信方法に関し、より特定的には、ユーザが地上アナログ放送を視聴するに際して、放送局名を識別可能にする放送受信装置、放送受信プログラム、放送受信プログラムを記録した記録媒体及び放送受信方法に関する。
【背景技術】
【０００２】
テレビの放送形態は、地上アナログ放送、地上デジタル放送、及びＢＳ／ＣＳデジタル放送などがあるように、多チャンネル化しており、ユーザのチャンネル選択の幅は広がる方向にある。このように、チャンネル数が増加すると、番組選択の容易さが必要とされる。デジタル放送においては、特開２００１−２８５７４７号公報で公知の通り、チャンネル切換時の番組内容表示などを利用した視聴補助の仕組みが提供されている。
【特許文献１】特開２００１−２８５７４７号公報
【発明の開示】
【発明が解決しようとする課題】
【０００３】
しかしながら、地上アナログ放送に関しては、上述したような視聴補助の仕組みがなく、ユーザは、画面に表示される映像を頼りに、番組選択を行う他なかった。そこで、本発明は、上記問題に鑑みてなされた。すなわち、ユーザが地上アナログ放送を視聴するに際して、放送局名を識別可能とし、放送局名を頼りに、番組選択を容易に行うことができる放送受信装置、放送受信プログラム、放送受信プログラムを記録した記録媒体及び放送受信方法を提供することを目的とする。
【課題を解決するための手段】
【０００４】
本発明の第１の局面は、デジタル放送及びアナログ放送を受信可能な放送受信装置に向けられている。本発明は、放送受信装置で受信したデジタル放送の番組情報を抽出するデジタル番組情報抽出部と、デジタル番組情報抽出部で抽出した番組情報を番組情報テーブルとして格納する記憶部と、放送受信装置で受信したアナログ放送の番組情報を抽出するアナログ番組情報抽出部と、アナログ番組情報抽出部で抽出した番組情報に基づいて、記憶部に格納された番組情報テーブルを参照して、アナログ放送の放送局名を特定する放送局名特定部と、放送局名特定部で特定した放送局名をアナログ放送の映像と共に表示装置に表示する映像出力部とを備える。
【０００５】
また、記憶部は、デジタル番組情報抽出部で新たな番組情報が抽出される度に、番組情報テーブルに格納する番組情報を更新することが好ましい。
【０００６】
また、記憶部に格納された番組情報テーブルはＶＣＴ（Ｖｉｒｔｕａｌ  Ｃｈａｎｎｅｌ  Ｔａｂｌｅ）を含み、アナログ番組情報抽出部で抽出された番組情報はＶＢＩ（Ｖｅｒｔｉｃａｌ  Ｂｌａｎｋｉｎｇ  Ｉｎｔｅｒｖａｌ）を含み、放送局名特定部は、ＶＢＩのＴＳＩＤ（Ｔｒａｎｓｐｏｒｔ  Ｓｔｒｅａｍ  ＩＤｅｎｔｉｆｉｃａｔｉｏｎ）に基づいて、ＶＣＴのＴＳＩＤを参照して、放送局名を特定することが好ましい。
【０００７】
本発明の第２の局面は、デジタル放送及びアナログ放送を受信可能な放送受信装置のコンピュータに実行させる放送受信プログラムに向けられている。本発明は、コンピュータに、放送受信装置で受信したデジタル放送の番組情報を抽出するデジタル番組情報抽出ステップと、デジタル番組情報抽出ステップで抽出した番組情報を番組情報テーブルとして記憶する記憶ステップと、放送受信装置で受信したアナログ放送の番組情報を抽出するアナログ番組情報抽出ステップと、アナログ番組情報抽出ステップで抽出した番組情報に基づいて、記憶ステップで記憶した番組情報テーブルを参照して、アナログ放送の放送局名を特定する放送局名特定ステップと、放送局名特定ステップで特定した放送局名を前記アナログ放送の映像と共に表示装置に表示させるステップとを実行させる。
【０００８】
本発明の第３の局面は、デジタル放送及びアナログ放送を受信可能な放送受信装置のコンピュータに実行させる放送受信プログラムを記録した記録媒体に向けられている。本発明は、コンピュータに、放送受信装置で受信したデジタル放送の番組情報を抽出するデジタル番組情報抽出ステップと、デジタル番組情報抽出ステップで抽出した番組情報を番組情報テーブルとして記憶する記憶ステップと、放送受信装置で受信したアナログ放送の番組情報を抽出するアナログ番組情報抽出ステップと、アナログ番組情報抽出ステップで抽出した番組情報に基づいて、記憶ステップで記憶した番組情報テーブルを参照して、アナログ放送の放送局名を特定する放送局名特定ステップと、放送局名特定ステップで特定した放送局名を前記アナログ放送の映像と共に表示装置に表示させるステップとを実行させる。
【０００９】
本発明の第４の局面は、デジタル放送及びアナログ放送を受信する放送受信方法に向けられている。本発明は、デジタル放送を受信するデジタル情報受信ステップと、アナログ放送を受信するアナログ放送受信ステップと、デジタル放送受信ステップで受信したデジタル放送の番組情報を抽出するデジタル番組情報抽出ステップと、デジタル番組情報抽出ステップで抽出したデジタル放送の番組情報を番組情報テーブルとして記憶する記憶ステップと、アナログ放送受信ステップで受信したアナログ放送の番組情報を抽出するアナログ番組情報抽出ステップと、アナログ番組情報抽出ステップで抽出したアナログ放送の番組情報に基づいて、記憶ステップで記憶されたデジタル放送の番組情報テーブルを参照して、アナログ放送の放送局名を特定する放送局名特定ステップと、放送局名特定ステップで特定した放送局名をアナログ放送の映像と共に表示させるステップとを備える。
【発明の効果】
【００１０】
以上のように本発明の各局面によれば、ユーザが地上アナログ放送を視聴するに際して、放送局名を識別可能とし、放送局名を頼りに、番組選択を容易に行うことができる放送受信装置、放送受信プログラム、放送受信プログラムを記録した記録媒体及び放送受信方法を提供することができる。
【発明を実施するための最良の形態】
【００１１】
（実施の形態）
以下、本発明の実施の形態に係る放送受信装置について、図面を参照しながら説明する。
【００１２】
図１は本発明の実施の形態に係る放送受信装置１００の全体構成を示すブロック図である。図１において、不図示のアンテナ、若しくはケーブルで受信されたデジタル放送はチューナ部１０１に入力される。チューナ部１０１は、入力されたデジタル放送の信号に対して、復調、誤り訂正などの処理を施し、トランスポートストリーム（以下、ＴＳとする）と呼ばれる形式のデジタルデータを生成する。更に生成したＴＳデータをデスクランブラ１０２に出力する。
【００１３】
デスクランブラ１０２は、視聴制御のためのスクランブルがかけられているＴＳデータがチューナ部１０１から入力された場合、ＴＳデータに含まれるデスクランブルのための鍵情報と制御部１１６中の不図示のデスクランブル制御部で出力される鍵情報とに基づいて、スクランブル解除を行い、デマルチプレクサ１０３に出力する。
【００１４】
デスクランブル制御部は、ユーザの契約情報及びＴＳデータに含まれるデスクランブルのための鍵情報を解くための鍵情報が格納されているデスクランブル機構を含み、デスクランブラ１０２から入力されたデスクランブルのための鍵を解くための鍵情報があった場合、その鍵情報をデスクランブラ１０２へ出力する。
【００１５】
また、デスクランブラ１０２は、チューナ部１０１からスクランブルがかけられていないＴＳデータを入力した場合には、ＴＳデータをそのままデマルチプレクサ１０３に出力する。
【００１６】
デマルチプレクサ１０３は、デスクランブラ１０２から入力された複数チャンネル分の映像、音声データ等が時分割多重化されているＴＳデータの中から、操作部１１５の操作で選択されたチャンネルにおいて、現在放送中の番組に係る映像データ及び音声データを取り出し、それぞれをビデオデコーダ１０４、オーディオデコーダ１０５に出力する。ここで、操作部１１５は本体側に設置されている操作部の他、リモコン及び受光部を含む。
【００１７】
また、デマルチプレクサ１０３は、上述のＴＳデータからデジタル放送の番組情報を抜き出し、番組情報解析部１０６及び制御部１１６に出力する。制御部１１６は、入力された番組情報を記憶部１１３に出力し、記憶部１１３は、制御部１１６からの番組情報を格納する。
【００１８】
デジタル放送の番組情報を記憶部１１３に更新して格納する際の動作について、図２のフロー図を用いて説明する。
【００１９】
まず、チューナ部１０１から定期的に受信しているデジタル放送を番組情報解析部１０６で、多重分離及びデコード解析処理した後、デジタル放送の番組情報が存在するか否かを確認する（ステップＳ２０１）。デジタル放送の番組情報が存在すれば、制御部１１６は、番組情報を抽出し、記憶部１１３への番組情報の格納を開始する（ステップＳ２０２）。
【００２０】
番組情報解析部１０６で抽出されるデジタル放送の番組情報が変化した場合は、制御部１１６へ通知され、記憶部１１３に新たな番組情報を格納し、チューナ部１０１は、デジタル放送の受信を継続する（ステップＳ２０３〜Ｓ２０６）。デジタル放送の番組情報が変化していない場合は、制御部１１６へ通知され、チューナ部１０１は、デジタル放送の受信を継続する（ステップＳ２０３及びＳ２０６）。更に、ユーザの操作部１１５の操作による番組情報受信指示に応じて番組情報を受信し、受信した番組情報を記憶部１１３に格納する。このように、記憶部１１３は、常に更新された番組情報を格納する。すなわち、放送局の変化に伴って番組情報が変化したとしても、常に最新の番組情報を保持することが可能となる。
【００２１】
ビデオデコーダ１０４は、デマルチプレクサ１０３から入力された映像データに対して、ＭＰＥＧ２のデコード処理を施し、復号した映像データを表示制御部１０９に出力する。
【００２２】
オーディオデコーダ１０５は、デマルチプレクサ１０３から入力された音声データに対して、ＭＰＥＧ２のデコード処理を施し、復号した音声データをＤＡＣ１１０に出力する。
【００２３】
番組情報解析部１０６は、デマルチプレクサ１０３から入力されたデジタル放送の番組情報に対して、セクションの解析処理を施し、復元した番組情報を番組情報表示信号作成部１０７及び制御部１１６に出力する。
【００２４】
デジタル放送の番組情報を構成するのに必要なデータは、「ＩＥＣ１３８１８−１  ＭＰＥＧ２  ＳＹＳＴＥＭ」や社団法人 電波産業会（通称ＡＲＩＢ）における標準規格「デジタル放送に使用する番組陳列情報」等で規定されるデータ構造で伝送される。
【００２５】
主要な構成データとして、例えば、編成チャンネルの名称、放送局名などの編成チャンネルに関する情報を伝送するＳＤＴ（Ｓｅｒｖｉｃｅ  Ｄｅｓｃｒｉｐｔｉｏｎ  Ｔａｂｌｅ）、ＶＣＴ（Ｖｉｒｔｕａｌ  Ｃｈａｎｎｅｌ  Ｔａｂｌｅ）、ブーケ（編成チャンネルの集合）の名称などのブーケに関する情報を伝送するＢＡＴ（Ｂｏｕｑｕｅｔ  Ａｓｓｏｃｉａｔｉｏｎ  Ｔａｂｌｅ）、番組名、放送開始日時及び内容の説明などの番組に関する情報を伝送するＥＩＴ（Ｅｖｅｎｔ  Ｉｎｆｏｒｍａｔｉｏｎ  Ｔａｂｌｅ）、現在の日付、時刻の情報を伝送するＴＤＴ（Ｔｉｍｅ  Ｄａｔｅ  Ｔａｂｌｅ）が挙げられる。
【００２６】
ＧＵＩ画面構成部１０８は、操作部１１５の操作に応じて、ユーザ操作を支援する画面等を作成し、表示制御部１０９に出力する。表示制御部１０９は、ビデオデコーダ１０４、番組情報表示信号作成部１０７及びＧＵＩ画面構成部１０８から入力された映像データに係る映像を操作部１１５の操作に応じて、映像出力部１１１に画面を切り換えて表示させたり、多重化して表示させたりする。
【００２７】
ＤＡＣ１１０は、オーディオデコーダ１０５から入力された音声データに対して、Ｄ／Ａ変換の処理を施し、変換した音声データを音声出力部１１２に出力する。なお、映像出力部１１１は、不図示のモニタ及び映像信号入力端子を含む。音声出力部１１２は、不図示のスピーカ及び音声信号入力端子を含む。
【００２８】
記憶部１１３は、制御部１１６から入力されるデジタル放送の番組情報を記憶する、揮発性記憶領域（ＲＡＭ）及び／または不揮発性記憶領域（ＲＯＭ）である。また制御部１１６からの出力要求を受けて、番組情報の出力を行う。
【００２９】
時計部１１４は、内部に不図示の周期的なクロック機能を保持し、一定の周期で計時動作を行う。また、時計部１１４は、制御部１１６から入力される時刻情報を基準として動作することも可能である。
【００３０】
また、不図示のアンテナ、若しくはケーブルから受信されたアナログ放送は、チューナ部１１７に入力される。チューナ部１１７は、入力されたアナログ放送の信号に対して、復調、誤り訂正などの処理を施し、信号をＶＢＩ（Ｖｅｒｔｉｃａｌ  Ｂｌａｎｋｉｎｇ  Ｉｎｔｅｒｖａｌ）デコーダ１１８及び映像処理部１１９に出力する。ＶＢＩデコーダ１１８は、ＶＢＩ含まれるアナログ放送に係る番組情報を抽出し、抽出した番組情報を制御部１１６へ通知する。
【００３１】
制御部１１６は、チューナ部１０１、デスクランブラ１０２、デマルチプレクサ１０３、ビデオデコーダ１０４、オーディオデコーダ１０５、番組情報解析部１０６、番組情報表示信号作成部１０７、ＧＵＩ画面構成部１０８、表示制御部１０９、ＤＡＣ１１０、記憶部１１３、時計部１１４、操作部１１５、チューナ部１１７、ＶＢＩデコーダ１１８及び映像処理部１１９を制御する。
【００３２】
次に、放送局名の特定及び表示処理について、図３のフロー図を用いて説明する。
【００３３】
チューナ部１０１を経由して入力されたデジタル放送の信号は、デスクランブラ１０２及びデマルチプレクサ１０３で多重分離処理が行われ、ビデオデコーダ１０４、オーディオデコーダ１０５及び番組情報解析部１０６にてデコード処理される。特に、番組情報解析部１０６においてチャンネル名、放送局名、ＴＳＩＤ（Ｔｒａｎｓｐｏｒｔ  Ｓｔｒｅａｍ  ＩＤｅｎｔｉｆｉｃａｔｉｏｎ）及び周波数などを含むＶＣＴの解析処理を行う。図４（Ａ）に示すように、解析したＴＳＩＤを含むＶＣＴは、制御部１１６を経由し、記憶部１１３に格納され、ＶＣＴテーブル４００を構成する。
【００３４】
また、チューナ部１１７を経由して入力されたアナログ放送の信号は、ＶＢＩデコーダで分離処理が行われ、図４（Ｂ）に示すようなＶＢＩのＴＳＩＤを抜き取り、制御部１１６に通知される。制御部１１６は、ＶＣＴテーブル及びＶＢＩのＴＳＩＤの存在を確認する（ステップＳ３０１）。
【００３５】
ステップＳ３０１の判定処理において、ＴＳＩＤの存在を確認した場合、制御部１１６は、ＶＢＩのＴＳＩＤに基づいて、ＶＣＴテーブル４００のＴＳＩＤを参照し、ＴＳＩＤが一致するか否かを判定する（ステップＳ３０２）。本例の場合、ＴＳＩＤが‘０ｘ０ＡＡ０’として一致するのか否かを判定する。一方、ステップＳ３０１の判定処理において、ＴＳＩＤの存在を確認できない場合、制御部１１６は、存在を確認できるまで、確認処理を継続する。
【００３６】
ステップＳ３０２の判定処理において、一致する場合、制御部１１６は、アナログ放送の放送局名‘ＡＢＣ’を特定する。また、制御部１１６は、特定したアナログ放送の放送局名‘ＡＢＣ’を表示制御部１０９へ伝達し、映像出力部１１１へ出力して、アナログ放送の放送局名‘ＡＢＣ’をアナログ放送の映像と共に画面上に表示する。一方、ステップＳ３０２の判定処理において、一致しない場合、制御部１１６は処理を終了する。
【００３７】
このように、ユーザが地上アナログ放送を視聴するに際して、放送局名を識別可能とし、放送局名を頼りに、番組選択を容易に行うことができる放送受信装置を提供することができる。
【００３８】
なお、上述の番組情報としてのＴＳＩＤに代えて、チャンネル名、周波数などの情報を利用して、放送局名を特定しても構わない。
【００３９】
なお、アナログ放送局名の特定結果の表示は、アナログ放送の映像を画面に表示中に表示するだけでなく、専用のＧＵＩアプリケーションを利用し、ユーザの任意のタイミングで表示することも可能である。
【００４０】
なお、記憶部１１３がＲＡＭ、或いはＲＯＭである構成で説明したが、Ｆｌａｓｈ  ＲＯＭ、ＥＥＰＲＯＭ、ＨＤＤ、或いはＤＶＤである構成としても、同様の効果を得ることができる。
【００４１】
なお、本実施の形態例はプログラムによってそれぞれの手段が制御されることで実現され、このプログラムをプロッピーディスクなどのコンピュータ読取り可能な記録媒体に記録しておくことにより、移送が可能になり、独立した他の装置においても容易に実施することができる。
【００４２】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００４３】
アナログ放送及びデジタル放送を受信可能なデジタルテレビ等として有用である。
【図面の簡単な説明】
【００４４】
【図１】本発明の実施の形態に係る放送受信装置の全体構成を示すブロック図
【図２】番組情報を記憶部に更新して格納する際のフロー図
【図３】アナログ放送の放送局名を特定及び表示する際のフロー図
【図４】ＶＣＴ及びＶＢＩの一例を示す図
【符号の説明】
【００４５】
１００  放送受信装置
１０１  チューナ部
１０２  デスクランブラ
１０３  デマルチプレクサ
１０４  ビデオデコーダ
１０５  オーディオデコーダ
１０６  番組情報解析部
１０７  番組情報表示信号作成部
１０８  ＧＵＩ画面構成部
１０９  表示制御部
１１０  ＤＡＣ
１１１  映像出力部
１１２  音声出力部
１１３  記憶部
１１４  時計部
１１５  操作部
１１６  制御部
１１７  チューナ部
１１８  ＶＢＩデコーダ
１１９  映像処理部
【図１】
2007243694.tif 000003
【図２】
2007243694.tif 000004
【図３】
2007243694.tif 000005
【図４】
2007243694.tif 000006